(57)【要約】  【課題】厨房の排煙を浄化する際に、装置寸法を低く、しかも浄化能力を強化可能な構造を実現する。  【解決手段】給水管が上下に貫通している山形多孔板の下側において、前下がりに傾斜した隔壁側多孔板と後下がりの背壁側多孔板を配設し、前下がりの多孔板の前端と前記隔壁との間に隙間を設けてあり、前記の下降ダクトと上昇室間の隔壁の下のＵターン口を遮るように水カーテンを形成するために、前記隙間を通過した流水が前記隔壁に沿って膜状に流下する構成としたこと、前記隔壁に一部の放射状散水が衝突する高さに衝突皿を配設して、給水管に取付け支持してあり、前記上昇室の下部に、下降ダクト側が低くなるように前下がりに傾斜した坂板を設けてある。  【選択図】図２
0003147357.tif 000002
【実用新案登録請求の範囲】
【請求項１】
厨房などで発生した排煙を導入し、煤や油などを水で除去すると共に冷却してから大気中に排気するために、水槽の上側において、排煙を下向きに導入する下降ダクトと、その排煙を上昇させる上昇室とを隔壁を隔てて隣接配置した装置であって、
前記上昇室の上部に設けた山形多孔板の位置を上下に貫通した給水管を設けると共に、
前記山形多孔板の少なくとも下側において、前下がりに傾斜した隔壁側多孔板（Ｐ１）と後下がりに傾斜した背壁側多孔板（Ｐ２）を配設し、前下がりの多孔板（Ｐ１）の前端と前記隔壁との間に隙間を設けてあること、
前記の下降ダクトと上昇室との間の前記隔壁の下のＵターン口を遮るように水カーテンを形成するために、前記隔壁に沿って膜状に流水する構成としたこと、
前記の隔壁に少なくとも一部の放射状散水が衝突する高さに、放射状に散水するための衝突皿を水平方向に配置し、前記給水管を利用して取付け支持してあること、
前記上昇室の下部に、下降ダクト側が低くなるように前下がりに傾斜した坂板を設けてあること、
を特徴とする排煙浄化装置。
【請求項２】
前記坂板の前端を下向きに折り曲げて、勾配が急になった部分を前記水カーテンより前側の下降ダクト領域で水没させてあること、
前記水槽中の水をポンプアップして前記の給水管に供給するように配管し、稼働時には溢れないが、停止すると溢れ出すような水位に、かつ前記下降ダクトの領域にオーバフロー手段を設けてなること、
を特徴とする請求項１に記載の排煙浄化装置。
【請求項３】
前記の給水管から下降ダクト側に分岐させた分岐管を下向きに設け、該分岐管を利用して、放射状に散水するための衝突皿を水平方向に取付け支持してあることを特徴とする請求項１または請求項２に記載の排煙浄化装置。
【請求項４】
前記上昇室の上部の排出口の上側に木炭を配設して、排気を脱臭可能としたこと、
前記衝突皿の中央位置を、前記給水管および／又は前記分岐管の下端開口中央の支持バーに取付け支持してあることを特徴とする請求項１、請求項２または請求項３に記載の排煙浄化装置。
【考案の詳細な説明】
【技術分野】
【０００１】
本考案は、厨房などにおいて発生する煤や油などの混じった排煙から、煤や油などを除去し脱臭して浄化すると共に冷却する装置に関する。
【背景技術】
【０００２】
厨房で発生する排煙から煤や油を除去する装置がいろいろ提案されているが、構造が複雑で、しかも高価である、メンテナンスの負担が大きい、などの理由から、普及に至っていない。そのため、ビルの外壁が黒い厨房排油の垂れ流しで汚れ、景観を悪くするだけでなく、大気をも汚染する。近隣の駐車中の車を汚したり、中華料理や焼き肉店から排出される異臭で近隣住民が悩まされるなどの問題も発生している。
このような問題に着目し、簡単な構造で確実に煤や油を除去でき、メンテナンスが容易で、しかも安価で普及型の排煙浄化装置を実現するために、特許文献１記載の構造が提案されている。
【特許文献１】特許第３８７８７６４号
【考案の開示】
【考案が解決しようとする課題】
【０００３】
通常の排煙であれば、特許文献１記載の構造の装置で充分に浄化できるが、汚れがひどい場合や、より強力に浄化したい場合は、パワー不足である。特に、給水管から流出した散水がそのまま排出口側に流出して、排気が水分過多となるという問題が避けられない。そのため、木炭で脱臭する場合に、木炭が水で濡れてしまい、脱臭力が低下する。
この問題を避けるために排出口を高くすると、装置寸法が高くなり、大型化するので、狭い厨房には設置不能となるなどの問題が発生する。
本考案の技術的課題は、このような問題に着目し、特許文献１記載の装置の基本構造は維持した状態で、装置寸法を高くする必要がなく、しかも排煙の浄化能力を強化可能な構造を実現することにある。
【課題を解決するための手段】
【０００４】
本考案の技術的課題は次のような手段によって解決される。請求項１は、厨房などで発生した排煙を導入し、煤や油などを水で除去すると共に冷却してから大気中に排気するために、水槽の上側において、排煙を下向きに導入する下降ダクトと、その排煙を上昇させる上昇室とを隔壁を隔てて隣接配置した装置であって、
前記上昇室の上部に設けた山形多孔板の位置を上下に貫通した給水管を設けると共に、
前記山形多孔板の少なくとも下側において、前下がりに傾斜した隔壁側多孔板Ｐ１と後下がりに傾斜した背壁側多孔板Ｐ２を配設し、前下がりの多孔板Ｐ１の前端と前記隔壁との間に隙間を設けてあること、
前記の下降ダクトと上昇室との間の前記隔壁の下のＵターン口を遮るように水カーテンを形成するために、前記隔壁に沿って膜状に流水する構成としたこと、
前記の隔壁に少なくとも一部の放射状散水が衝突する高さに、放射状に散水するための衝突皿を水平方向に配置し、前記給水管を利用して取付け支持してあること、
前記上昇室の下部に、下降ダクト側が低くなるように前下がりに傾斜した坂板を設けてあること、
を特徴とする排煙浄化装置である。
【０００５】
このように、水槽の上側において、排煙を下向きに導入する下降ダクトと、排煙を上昇させる上昇室とを隣接して配置してあるので、排煙が下降する際に、下側の水槽中の水中に煤や油が衝突して、水中に煤や油が吸着される。
しかも、前下がりに傾斜した多孔板Ｐ１の前端と前記隔壁との間の隙間を通過した流水が前記隔壁に沿って膜状に流下して、前記隔壁の下のＵターン口を遮るように水カーテンが形成されるため、水カーテンによって排煙中の煤や油が吸着され、より確実に浄化される。
こうして浄化された排煙が、前記の衝突皿に衝突して四方八方に散水された放射状散水の領域を通過上昇する際にも、排煙中の煤や油が吸着されて、さらに浄化される。
【０００６】
前記の衝突皿で散水された放射状散水が、周りの側部や隔壁側多孔板Ｐ１、背壁側多孔板Ｐ２などに衝突して生じた水しぶきが上昇気流で渦巻く際に、排煙中の煤や油を巻き込んで吸着落下すると共に、前記の放射状散水の一部が前記隔壁に衝突して、前記水カーテンが形成される。
上昇室中を上昇気流で前記の水しぶきが上昇して、前記の多孔板に当たったり通過して水は、前下がりの多孔板Ｐ１と前記隔壁との間に隙間から膜状になって流下して、水カーテンとなる。
【０００７】
このようにして、放射状散水や水しぶき等で捕捉された煤や油混じりの汚染水は最終的に坂板の上を流れ落ちて、下降ダクト中で煤や油が落下した水槽中に流れ込んで合流する。
このように、山形多孔板や前下がり孔板Ｐ１、後下がり多孔板Ｐ２の下側で煤や油を捕捉後の水は坂板上に流下するので、山形多孔板や前下がり孔板Ｐ１、後下がり多孔板Ｐ２を通過上昇して排出口側に流出する水分は少なく、水分の少ない浄化排気となって、大気中に流出する。その結果、従来のように、排出口を高くする必要がなく、小型化できる。
【０００８】
請求項２は、前記坂板の前端を下向きに折り曲げて、勾配が急になった部分を前記水カーテンより前側の下降ダクト領域で水没させてあること、
前記水槽中の水をポンプアップして前記の給水管に供給するように配管し、稼働時には溢れないが、停止すると溢れ出すような水位に、かつ前記下降ダクトの領域にオーバフロー手段を設けてなること、
を特徴とする請求項１に記載の排煙浄化装置である。
【０００９】
このように、前記坂板の前端を下向きに折り曲げて、勾配が急になった部分を前記水カーテンより前側の下降ダクト領域で水没させてあるため、下降ダクトの下の水面領域が広くなると共に、坂板の上を流下した流水が水面に激しく流れ落ちた際の勢いで、下降ダクトの下側の水面が波立ち、下降ダクトを下降して来た煤や油との接触面積が増えるので、煤や油をより確実に水中に捕獲できる。
【００１０】
また、前記水槽中の水をポンプアップして前記の給水管に供給するように配管し、稼働時には溢れないが、停止すると溢れ出すような水位に、かつ前記下降ダクトの領域にオーバフロー手段を設けてあって、下降ダクト領域の水面に集められた煤や油はオーバフローして排出されるので、メンテナンスが容易になる。
さらに、水槽中の水をポンプアップして前記の給水管に供給し循環させるため、常時充分な冷却水を循環供給して散水し、装置内を通過する排煙を冷却してから大気中に排気する。その結果、排煙中の煤や油などが除去されると共に、臭気なども除去され、加えて温暖化現象の防止にも寄与でき、環境保全の上でも極めて有効である。さらに、水槽中の水をポンプアップし循環させるため、水の消費量が少なく経済的である。
【００１１】
請求項３は、前記の給水管から下降ダクト側に分岐させた分岐管を下向きに設けて、該分岐管を利用して、放射状に散水するための衝突皿を水平方向に取付け支持してあることを特徴とする請求項１または請求項２に記載の排煙浄化装置である。
このように、前記の給水管から下降ダクト側に分岐させた分岐管を下向きに設けて、該分岐管を利用して、放射状に散水するための衝突皿を水平方向に取付け支持してあるため、下降ダクト内においても、衝突皿に衝突した放射状散水の領域を排気が通過下降する際にも、排煙中の煤や油を吸着して、下側の水槽中に落下し、浄化される。
また、放射状散水が前記隔壁に衝突して流下し、水カーテンを形成するので、水カーテンの流量が増え、水カーテン通過時の排煙浄化作用が強化される。
【００１２】
請求項４は、前記上昇室の上部の排出口の上側に木炭を配設して、排気を脱臭可能とし、前記衝突皿の中央位置を、前記給水管の下端開口中央の支持バーに取付け支持してあることを特徴とする請求項１、請求項２または請求項３に記載の排煙浄化装置である。
このように、前記上昇室の上部の排出口の上側に木炭を配設してあるため、煤や油を除去後の排気が木炭の領域を通過する際に、排気中の異臭が脱臭され、近隣の住民に迷惑を及ぼすような問題が解消される。
また、前記衝突皿の中央位置を、前記給水管の下端開口中央の支持バーに取付け支持してあるため、給水管からの流出水が衝突皿に衝突して散水される際に、支持手段が均一散水の邪魔になることがなく、全周すべてに確実かつ均一に放射状散水を発生可能となる。
【考案の効果】
【００１３】
請求項１のように、水槽の上側において、排煙を下向きに導入する下降ダクトと、排煙を上昇させる上昇室とを隣接して配置してあるので、排煙が下降する際に、下側の水槽中の水中に煤や油が衝突して、水中に煤や油が吸着される。
しかも、前下がりに傾斜した多孔板Ｐ１の前端と前記隔壁との間の隙間を通過した流水が前記隔壁に沿って膜状に流下して、前記隔壁の下のＵターン口を遮るように水カーテンが形成されるため、水カーテンによって排煙中の煤や油が吸着され、より確実に浄化される。
こうして浄化された排煙が、前記の衝突皿に衝突して四方八方に散水された放射状散水の領域を通過上昇する際にも、排煙中の煤や油が吸着されて、さらに浄化される。
【００１４】
前記の衝突皿で散水された放射状散水が、周りの側部や隔壁側多孔板Ｐ１、背壁側多孔板Ｐ２などに衝突して生じた水しぶきが上昇気流で渦巻く際に、排煙中の煤や油を巻き込んで吸着落下すると共に、前記の放射状散水の一部が前記隔壁に衝突して、前記水カーテンが形成される。
上昇室中を上昇気流で前記の水しぶきが上昇して、前記の多孔板に当たったり通過して水は、前下がりの多孔板Ｐ１と前記隔壁との間に隙間から膜状になって流下して、水カーテンとなる。
【００１５】
このようにして、放射状散水や水しぶき等で捕捉された煤や油混じりの汚染水は最終的に坂板の上を流れ落ちて、下降ダクト中で煤や油が落下した水槽中に流れ込んで合流する。
このように、山形多孔板や前下がり孔板Ｐ１、後下がり多孔板Ｐ２の下側で煤や油を捕捉後の水は坂板上に流下するので、山形多孔板や前下がり孔板Ｐ１、後下がり多孔板Ｐ２を通過上昇して排出口側に流出する水分は少なく、水分の少ない浄化排気となって、大気中に流出する。その結果、従来のように、排出口を高くする必要がなく、小型化できる。
【００１６】
請求項２のように、前記坂板の前端を下向きに折り曲げて、勾配が急になった部分を前記水カーテンより前側の下降ダクト領域で水没させてあるため、下降ダクトの下の水面領域が広くなると共に、坂板の上を流下した流水が水面に激しく流れ落ちた際の勢いで、下降ダクトの下側の水面が波立ち、下降ダクトを下降して来た煤や油との接触面積が増えるので、煤や油をより確実に水中に捕獲できる。
【００１７】
また、前記水槽中の水をポンプアップして前記の給水管に供給するように配管し、稼働時には溢れないが、停止すると溢れ出すような水位に、かつ前記下降ダクトの領域にオーバフロー手段を設けてあって、下降ダクト領域の水面に集められた煤や油はオーバフローして排出されるので、メンテナンスが容易になる。
さらに、水槽中の水をポンプアップして前記の給水管に供給し循環させるため、常時充分な冷却水を循環供給して散水し、装置内を通過する排煙を冷却してから大気中に排気する。その結果、排煙中の煤や油などが除去されると共に、臭気なども除去され、加えて温暖化現象の防止にも寄与でき、環境保全の上でも極めて有効である。さらに、水槽中の水をポンプアップし循環させるため、水の消費量が少なく経済的である。
【００１８】
請求項３のように、前記の給水管から下降ダクト側に分岐させた分岐管を下向きに設け、該分岐管を利用して、放射状に散水するための衝突皿を水平方向に取付け支持してあるため、下降ダクト内においても、衝突皿に衝突した放射状散水の領域を排気が通過下降する際にも、排煙中の煤や油を吸着して、下側の水槽中に落下し、浄化される。
また、放射状散水が前記隔壁に衝突して流下し、水カーテンを形成するので、水カーテンの流量が増え、水カーテン通過時の排煙浄化作用が強化される。
【００１９】
請求項４のように、前記上昇室の上部の排出口の上側に木炭を配設してあるため、煤や油を除去後の排気が木炭の領域を通過する際に、排気中の異臭が脱臭され、近隣の住民に迷惑を及ぼすような問題が解消される。
また、前記衝突皿の中央位置を、前記給水管の下端開口中央の支持バーに取付け支持してあるため、給水管からの流出水が衝突皿に衝突して散水される際に、支持手段が均一散水の邪魔になることがなく、全周すべてに確実かつ均一に放射状に散水可能となる。
【考案を実施するための最良の形態】
【００２０】
次に本考案による排煙浄化装置が実際上どのように具体化されるか実施形態を説明する。図１は本考案による排煙浄化装置の実施形態を示す斜視図で、手前の側壁４を破断して内部を示してある。図２は、図１の装置の中心位置の縦断面図である。
図示の装置は、正面壁１と背壁２と左側の側壁３と右側の側壁４からなる箱状に形成されている。そして、正面壁１の上側に排煙の導入口５が形成され、背部寄りの上端に排出口６が形成されている。
本考案の装置は、排煙中の煤や油を水で吸着し除去するものであり、下部に水槽７を内蔵している。そして、水槽７の上側において、排煙を下向きに導入する下降ダクト８と、Ｕターン後の排煙を上昇排出させる上昇室９とを、隔壁１０を隔てて隣接・配置してある。下降ダクト８の上端は、前記の導入口５と連通している。
【００２１】
上昇室９の上部、すなわち排出口６の下側に山形多孔板１１を配設し、山形多孔板１１のほぼ中央位置を給水管１２が下向きに貫通している。
図示例の山形多孔板１１は、前後２枚の多孔板１１ａと１１ｂで山形に形成し、左側の側壁３と右側の側壁４との間に渡した構造になっているが、無数に孔の開いた円形の傘状でも可能である。
上昇室９の下部には、前下がりのすなわち、下降ダクト８側が低くなるように傾斜した坂板２１を設けてあり、坂板２１の下側に前記水槽７を設けてある。
【００２２】
前記の多孔板１１の下側には、多孔板Ｐ１、Ｐ２をほぼハの字状に傾斜して配設してある。すなわち、前下がりに傾斜した多孔板Ｐ１と後下がりに傾斜した多孔板Ｐ２とが、左右の側壁３、４間に渡されている。多孔板Ｐ１とＰ２とは、図示のように上下方向に多少ずれていても差し支えない。前下がりに傾斜した多孔板Ｐ１の前端と隔壁１０との間には、例えば２〜８ｍｍ程度の隙間１３が形成されている。
また、山形多孔板１１の後方の上側には、排煙を排出口６側に案内するために後下がりに傾斜した多孔板Ｐ３を配置してあり、山形多孔板１１の手前の上側には、排煙を排出口６側に案内するために前下がりに傾斜した案内板Ｐ４を配置してある。それぞれ、左右の側壁３、４間に渡されている。
【００２３】
前記の隔壁１０に放射状散水Ｓの一部が衝突する高さにおいて、給水管１２下端に衝突皿Ｃを取付けてある。衝突皿Ｃは、円板を皿状に幾分窪まして、その中央を支持バーＢによって給水管１２に取付け固定してある。
支持バーＢは、給水管１２の下端開口内の中央部で立っており、その上端を給水管１２の側壁を横向きに貫通させて取付け固定してある。その結果、給水管１２からの流出水が散水される際に、支持手段が均一散水の障害となることがなく、全周すべてに確実かつ均一に放射状散水を発生可能となる。なお、衝突皿Ｃの外周を複数本のワイヤーなどで給水管１２の外部に取付け支持することも可能である。
【００２４】
この装置において、図２に示すように、厨房の排気ダクト１８の排気ファン１９の力によって、導入口５から下降ダクト８の中に押し込まれて下降した排煙は、隔壁１０の下側のＵターン口を通過して、上昇室９の中を上昇する際に、山形多孔板１１より下側において衝突皿Ｃで散水された放射状散水の中を通過するため、通過排煙中の煤や油などを吸着して落下する。
また、衝突皿Ｃで散水された放射状散水が周囲の壁部３、４や多孔板Ｐ１、Ｐ２に衝突して水しぶきとなり、煤や油などの捕捉力が増すと共、多孔板Ｐ１、Ｐ２の下側で排煙流の勢いで渦巻き状となる。ついで、排出口６側に上昇して、多孔板Ｐ１、Ｐ２に衝突したり、通過すると、水滴は多孔板Ｐ１、Ｐ２や山形多孔板１１に沿って流れ落ちるので、排出口６側へ流出する水量は少ない。そして、前下がりに傾斜した多孔板Ｐ１の上を流れ落ちた水流は、隔壁１０との間の隙間１３を膜状に流れ落ちて、水カーテン状に広がって流下するので、この際に煤や油が水カーテン２０でたたき落とされ、水槽の水Ｗ中に吸着される。
【００２５】
さらに、水カーテン２０を通過する前に、下降ダクト８中を勢い良く下降した排煙は、水槽の水Ｗ中に直接に飛び込んで、煤や油が水槽の水中に吸着される。このとき、前下がりに傾斜した坂板２１上を流れ落ちた水の勢いで、下降ダクト８の下側の水面が波立ち、下降ダクトを下降して来た煤や油との接触面積が増えるので、煤や油をより確実に水中に捕獲できる。
このようにして、第一段階で排煙が水槽の水Ｗ中に飛び込んだ際に煤や油が除去され、このとき除去されずに残った煤や油は、次の水カーテン２０で除去される。それでも除去されなかった煤や油は、上昇室９中を上昇する際に、放射状散水Ｓや周壁３、４、多孔板Ｐ１、Ｐ２に衝突して発生した水しぶきに当たってたたき落とされ、坂板２１上を流れ落ちて、水槽中に流れ込む。その結果、煤や油が殆ど完全に除去され、浄化された空気となって、排出口６から大気中に流出する。
【００２６】
前記の排出口６に設けた水平状態の金網ｆ上に木炭Ｍを詰めて、上を金網Ｆで塞いであるため、排煙中の煤や油などが除去された後の排気が木炭Ｍ間を通過する際に臭気なども除去され、より浄化される。しかも、排煙は水で冷却されるため、温暖化現象の防止にも寄与でき、付近を通行する人に熱風が当たるのも防げる。したがって、本考案の装置を使用すると、環境保全の上でも極めて有効である。なお、金網ｆ・Ｆに代えて、パンチングメタルなどの多孔板を使用してもよい。
本装置は、煤や油の除去に使用する水を有効利用できるように、水槽７中の水を循環させる構造になっている。すなわち、図２に例示するように、山形多孔板１１位置の給水管１２と水槽７との間の水管２２にポンプ１４を設けて、水槽７中の水をポンプアップして前記の山形多孔板１１の上に給水する構造になっている。また、水槽７中の水Ｗの水位は、ボールタップ１５で常時一定に調節される。
【００２７】
水槽７中の水をポンプアップして上昇室９中で衝突皿Ｃで放射状散水すると、当然に水槽中の水量は減少するが、このように減少した際でも常時、十分な水量が確保されるように、ボールタップ１５が作動して、水量を補充し、一定の水位が維持される。
厨房を使用しない場合は、装置は停止するため、上昇室９中で散水された水が一斉に水槽７中に流れ込んで、オーバフロー口１６から溢れ出し、グリストラップ１７を経由して、排水される。したがって、煤や油を吸着して汚れた水槽７中の水は、装置を停止する度に、オーバフローして排水されるので、循環水が汚れたままになることはない。
【００２８】
前記の給水管１２から下降ダクト８側に分岐させた分岐管１２１を下向きに設けて、その下端開口中央の支持バーＢに、放射状に散水するための衝突皿Ｃを取付けてある。
従って、この衝突皿Ｃに衝突して発生した放射状散水Ｓ中を排煙が通過し下降する際にも煤や油がたたき落とされ、水槽の水Ｗ中に吸着される。また、放射状散水Ｓが隔壁１０に衝突して流れ落ち、水カーテン２０を形成するので、前記のように隔壁１０の上昇室９側で流れ落ちた水カーテンと合流して水量が増すので、水カーテンとしての機能が増強される。
なお、分岐管１２１をエルボで構成し、分岐管の下端開口中央の支持バーＢをそのまま上昇させて、エルボの上側に貫通させ固定することも可能である。
【００２９】
以上の実施形態において、多孔板Ｐ１〜Ｐ３の枚数や傾斜角度は特に限定されない。また、各多孔板の孔の径は、３〜８ｍｍ程度が適しているが、この寸法に限定されない。また、板厚も任意である。
導入口５も、左側の側壁３側や右側の側壁４側に開口させることもでき、厨房の構造や付近の建造物などの配置などに応じて、臨機応変に導入口５の向きを変えることができる。前記の山形多孔板１１を形成する前後の多孔板１１ａと１１ｂとは分離していてもよい。また、前下がりの多孔板１１ａと多孔板Ｐ１を連結又は一体化し、後下がりの多孔板１１ｂと多孔板Ｐ２とを連結又は一体化することもできる。
隔壁１０の下端は、図１のように真っ直ぐに垂下させてもよいが、図２のように例えばくの字状に変形させたりして、水流を分散させることもできる。
【産業上の利用可能性】
【００３０】
以上のように、本考案によると、排煙の上昇室上部の山形多孔板より下側において、給水管下端に設けた衝突皿で放射状散水を発生させるため、煤や油の捕捉率が高まり、また下降ダクト８側にも衝突皿を設けて、放射状散水で煤や油を捕捉すると共に、水カーテンの水量増加を図っているので、排煙の浄化作用が強化される。しかも、山形多孔板より上側に流出する水分が少なくなるので、排出口を高くする必要がなく、排出口に木炭を設けて脱臭することも可能となる。
【図面の簡単な説明】
【００３１】
【図１】本考案による排煙浄化装置の実施形態を示す斜視図で、手前の側壁を破断して内部を示してある。
【図２】図１の装置の中心位置の縦断面図である。
【符号の説明】
【００３２】
５  導入口
６  排出口
７  水槽
８  下降ダクト
９  上昇室
１０  隔壁
１１  山形多孔板
１２  給水管
１２１  分岐管
Ｐ１〜Ｐ３  傾斜した多孔板
１３  隙間
１４  ポンプ
１６  オーバフロー口
２０  水カーテン
２１  坂板
Ｃ  衝突皿
Ｂ  支持バー
Ｓ  放射状散水    
ｆ・Ｆ  金網又はパンチングメタル
Ｍ  木炭
【図１】
0003147357.tif 000003
【図２】
0003147357.tif 000004